(57)【要約】【課題】移動型の熱風発生による融雪装置では、雪塊の外部からの熱風を吸収して、接触部の部分的溶解のため、融雪時間が膨大であった。【解決手段】移動可能な台車に雪の掻き込み手段を設け、この掻き込み手段の後方に続けて移送手段を内装した電磁波照射室を設けて、路面等の雪を掻き込み移動しながら電磁波加熱による高速に融雪する移動融雪装置であって、雪の運搬作業等なしで降雪地に移動しながら短時間に融解排雪をして、雪捨て場のない場所に便利である。【選択図】      図２
2005009281.tif 000002
【特許請求の範囲】
【請求項１】
移動可能な台車に雪の掻き込み手段を設け、この掻き込み手段の後方に続けて移送手段を内装した電磁波照射室を設けて、路面等の雪を掻き込み移動しながら電磁波加熱による高速融雪をする移動融雪装置。
【請求項２】
電磁波加熱が３００ＭＨｚから３００ＧＨｚのマイクロ電磁波である請求項１記載の移動融雪装置。
【請求項３】
掻き込み手段と、電磁波照射室との連絡部に回転羽根バルブ形状の電磁波シールド手段を具備した請求項２記載の移動融雪装置。
【発明の詳細な説明】
【０００１】
【発明の属する技術分野】
本発明は、多雪地域の路面等に用いる移動融雪装置の改良に関する。
【０００２】
【従来の技術】
多雪地域の降雪は、都市生活や市場流通活動が停止する程の大きな問題である。従って、市街地の店舗の出入口や、歩道、駐車場等は常に排雪、又は融雪された状態が望ましい。従来は、ロードヒーティング方式や、ガスバーナー燃焼による熱風消雪装置がある。移動型熱風消雪装置としては特開平２−２７４９１０号公報が知られる。
【０００３】
又、設置型の槽体において、高周波電界のマイクロ波エネルギーを照射して大量の融雪処理を行うものてして、特開平５−３１１６２６号公報が知られる。
【０００４】
【発明が解決とようとする課題】
前記した熱風消雪装置は、雪塊はその表面から外部の熱風を吸収し、その接触部分が熱を吸収し、その加熱部分が溶解温度に達して初めて水となり、更に熱が次の深層部に達して水となる経過を繰り返して消雪されるものであるが、熱伝導が非効率なため融雪時間が膨大になる欠点がある。
【０００６】
又、前記した槽体の電磁波融雪装置は、設置した場所に降雪した雪をダンプトラックや、人力によるスノーダンプ等で搬送して投入するための作業が発生し、業務用の大量の高速な融雪作業には適するものであるが、市街地の店舗前庭や、玄関先のフロア、駐車場又は歩道等の日常の排雪作業としては、搬送が重労働となり煩わしい問題がある。
【０００７】
【課題を解決するための手段】
上記した問題を解決するために、移動可能な台車に雪の掻き込み手段を設け、この掻き込み手段の後方に続けて移送手段を内装した電磁波照射室を設けて、路面等の雪を掻き込み移動しながら電磁波加熱による高速融雪をする移動融雪装置を提供したものである。
【０００８】
又、前記した移動融雪装置において、電磁波加熱が３００ＭＨｚから３００ＧＨｚのマイクロ電磁波である構成である。
【０００９】
又、前記した移動融雪装置において、掻き込み手段と、電磁波照射室との連絡部に回転羽根バルブ形状の電磁波シールド手段を具備した構成である。
【００１０】
【作用】
本発明の移動融雪装置を店舗のフロアや駐車場、あるいは歩道等に持ち込んで、雪を掻き込み手段によって掻き込み、移送手段によって電磁波照射室に撹拌しながら移送すると同時に、高周波電界のエネルギーを照射し、照射室内の内壁によって反射して、集束された電磁波は雪塊に透過して、水分子の振動によって自己発熱を生じて急激に高速溶解される。融雪によって生じた水は排出される。
【００１１】
又、電磁波加熱を３００ＭＨｚから３００ＧＨｚのマイクロ電磁波とすることで、波長が短く自由伝播する特性により、仕切られた電磁波照射室に照射すると高速な融雪作業を発揮し、機体としても簡単な構成で小型になる。
【００１２】
又、回転羽根バルブ形状の電磁波シールド手段を設けたので、電磁波照射室内に常に複数枚の回転羽根によって雪を掻き込み、同時に雪を押し込む回転羽根の内面によって電磁波は反射されて外部への漏洩が遮断される。
【発明の実施の形態】
【００１３】
本発明を実施した図面に基づいて構成を説明する。図１は本発明を実施した側面図、図２は平面展開図、及び図３は要部のその他の実施例を示したものである。
【００１４】
図１において、２１は車輪を示し、車枠を兼用した外筒６、及びシールドケース１３を支持している。外筒６の後部にはハンドル２８を設けている。シールドケース１３の前方にはオーガケース２５を連結し、下方にはフレーム枠２を設けて２９のシューを支承してなる。３は縦枠を示し、外筒６の側面で適宜に固着されたもので、上部には４の変速モータを載置する。
【００１５】
１６は第１出力軸で、４の変速モータから出力され、プーリ２２，２３を介して外筒６内の移送羽根を回転するものである。１１は電磁波発生装置を示し、本実施例においてはマイクロ電磁波を発生するものである。図示していないが、高周波電磁波の場合は、外筒６の左右から挟持する電磁波発生装置となる。
【００１６】
１８はフレキシブルシャフトを示し、前記した変速モータ４より出力されてシールドケース１３内の回転羽根１４を回転するための主軸２６を回転するものである。
【００１７】
１７は第２伝動ケースを示し、変速モータ４より伝動されて掻き込み手段であるオーガ１を回転させる。
１５は第１伝動ケースを示し、変速モータ４から伝動されて車輪２１を回転する走行ミッション１９へ伝動するものである。
【００１８】
２７は操作パネルを示し、ハンドル２８に掛け渡されている。操作パネル２７には走行用のスイッチ、制御ボタンの他に電磁波発生装置１１のためのマイクロ波発振回路と起動制御回路および電源回路を含んでいる。本実施例では、家庭用の電源と連結可能に設定される。
【００１９】
図２において、１のオーガは螺旋状のリボン羽根で横軸２４が第２伝動ケース１７によって回転すると、積雪したオーガケース２５内に掻き込まれて中央部の後方へ集束する。
【００２０】
１３のシールドケースは、上下方向の略円筒状を形成し同芯状に主軸２６を垂直状に配置して、本実施例においては６０度分割の回転羽根１４を設けている。シールドケース１３は、前記オーガケース２５の背面中央に位置し前後面に開放部を形成するので、前記オーガケース２５から掻き込んだ雪塊が送り込まれる。送り込まれた雪塊は、回転羽根１４によって後方の電磁波照射室５へ送り込まれる。この回転羽根１４と、シールドケース１３からなる回転羽根バルブ形状の電磁波シールド手段は、電磁波照射室５内に雪を掻き込むと同時に、回転羽根は電磁波を反射して電磁波照射室から外部へ漏洩するのを遮断する。
【００２１】
電磁波照射室５は水平方向に配置され、円筒状の外筒６と内部に移送羽根７が配置され、半密閉状態であり電磁波は漏洩しない。外筒６の前端は、前記したシールドケース１３の後方開放部と連結される。移送羽根７は、パイプ軸８の外周に内部が中空の螺旋羽根が固着されて構成される。外筒６の後方端に回転自在に支承されたパイプ軸８は一端が延設されて、外方に入力プーリ２３が装着されて回転する。パイプ軸８には電磁波発生装置１１の導波管１２が連通されている。
【００２２】
１９は走行ミッションで、第１伝動ケース１５から適宜減速されて入力され車輪を駆動するもので、電気的に前進，後進する構成である。
１０は外筒６の後端外周に設けた排水管を示し、電磁波照射室５内で雪塊が融解した温水が排出されるもので、適宜電磁波漏洩手段を備えてある。９は照射孔を示し、移送羽根７を構成するパイプ軸８と２重構造の螺旋羽根内部に導波した電磁波が照射されるものである。
【００２３】
本発明による構成に基づいて融雪作用について説明する。掻き込み手段であるオーガ１によって雪塊を掻き込んで、オーガハウジング２５の中央背面に送り出す。送り出された雪塊は、シールドケース１３内の回転羽根１４によって後方の電磁波照射室５内へ送られる。この時、６０度分割の６枚の回転羽根１４の外周はシールドケース１３の内面に半密閉状に設定されているので、電磁波照射室５内から放射される電磁波は回転羽根１４の面板によって反射されて漏洩を遮断する。
【００２４】
次いで、電磁波照射室５内に送られた雪塊は、パイプ軸８と螺旋羽根に設けた照射孔９より照射された電磁波が透過して、内部発熱して短時間に溶解する。特に電磁波が外筒６内の内壁に反射しながら、移送羽根７によって撹拌移送する雪塊にムラなく透過するので照射効率が良い。
【００２５】
図３は電磁波照射室５のその他の実施例を示すものであり、外筒６は２重壁の構成で内壁に多数個の照射孔９を設けたものである。この外筒６の外部に電磁波発生装置１１を取り付けて、内部を移送する雪塊の外方から電磁波を照射するもので、電磁波の照射構造が単純で安価に製作できるものである。
【００２６】
【発明の効果】
以上のように構成したので、住宅地の店舗廻りや、玄関先フロア等の排雪を雪塊の運搬，搬送の作業なしに降雪した場合に、直接移動しながら簡易に溶雪して排水することができる。従って、多雪地域の雪の捨て場等がないところでは便利である。
【図面の簡単な説明】
【図１】本発明を実施した側面図
【図２】平面展開図
【図３】要部のその他の実施例
【符号の説明】
１      オーガ
２      フレーム枠
３      縦枠
４      変速モータ
５      電磁波照射室
６      外筒
７      移送羽根
８      パイプ軸
９      照射孔
１０    排水管
１１    電磁波発生装置
１２    導波管
１３    シールドケース
１４    回転羽根
１５    第１伝動ケース
１６    第１出力軸
１７    第２伝動ケース
１８    フレキシブルシャフト
１９    走行ミッション
２０    駆動軸
２１    車輪
２２    出力プーリ
２３    入力プーリ
２４    横軸
２５    オーガケース
２６    主軸
２７    操作パネル
２８    ハンドル
２９    シュー
【図１】
2005009281.tif 000003
【図２】
2005009281.tif 000004
【図３】
2005009281.tif 000005